(57)【要約】【課題】部材間の振動の伝達と空気振動の伝達とを抑制することの容易な床構造を提供する。【解決手段】床構造は、基台上に設けられる第１及び第２床材１２ａ，１２ｂを備える。床材１２ａ，１２ｂは、長方形状の床基板２１と、基台と床基板２１との間に位置する下層部材２２とを備える。下層部材２２は、床基板２１の短辺側を支持する第１及び第２短辺支持部材３１ａ，３１ｂと、基台と床基板２１との間に位置する第１及び第２吸音部材４１ａ，４１ｂとを備える。床基板２１の短辺側の部分は、第１短辺支持部材３１ａ等の先端部が床基板２１における長辺間の中央部を挟むように離間されてなる離間部を有する。床構造は、床基板２１に沿って延在するとともに下層部材２２が側壁となる通路６１を備える。通路６１は、第１通路６１ａと、第１通路６１ａに連通するとともに第１通路６１ａよりも側壁内面の間隔が広い第２通路６１ｂとを有する。【選択図】図４
2015059356.tif 000002
【特許請求の範囲】
【請求項１】
基台上に設けられ、第１床材と前記第１床材に隣り合う第２床材とを含む複数の床材と、
前記床材に積層される床仕上げ材と、を備える床構造であって、
前記床材は、長方形状の床基板と、前記基台と前記床基板との間に位置する下層部材と、を備え、
前記下層部材は、前記床基板を支持する複数の支持部材と、前記基台と前記床基板との間に配置される吸音部材と、を有し、
前記支持部材は、前記基台に接する先端部を有するとともに、
前記支持部材は、前記床基板の短辺に沿って配置され、前記短辺側を支持する短辺支持部材を含み、
前記短辺側の部分は、前記短辺支持部材の有する先端部が前記床基板における長辺間の中央部を挟むように離間されてなる離間部を有し、
前記床構造は、前記床基板に沿って延在するとともに前記下層部材が側壁となる通路を備え、
前記通路は、第１通路と、前記第１通路に連通するとともに前記第１通路よりも側壁内面の間隔が広い第２通路とを有することを特徴とする床構造。
【請求項２】
前記床構造は、前記通路として、前記第１床材の有する下層部材と前記第２床材の有する下層部材とを側壁としてなる床材間通路を備える請求項１に記載の床構造。
【請求項３】
前記床材間通路は、前記第１床材の有する床基板の短辺と、前記第２床材の有する床基板の短辺とに沿って延在している請求項２に記載の床構造。
【請求項４】
前記吸音部材は、前記基台に接している請求項１から請求項３のいずれか一項に記載の床構造。
【請求項５】
前記床構造は、前記通路として、少なくとも一部が前記支持部材と前記吸音部材とを側壁とする異種部材間通路から構成された通路を備える請求項１から請求項４のいずれか一項に記載の床構造。
【請求項６】
前記床材は、室を区画する壁体に隣り合う外周床材を備え、
前記外周床材の有する通路が前記壁体へ向けて開口する部分には、一端が前記床基板と前記床仕上げ材との間に介在されるとともに他端が前記壁体に接続されるシール部材がさらに設けられている請求項１から請求項５のいずれか一項に記載の床構造。
【請求項７】
前記第１床材の有する床基板と前記第２床材の有する床基板とは離間されている請求項１から請求項６のいずれか一項に記載の床構造。
【請求項８】
前記床基板と前記床仕上げ材との間には緩衝部材がさらに設けられている請求項１から請求項７のいずれか一項に記載の床構造。
【発明の詳細な説明】
【技術分野】
【０００１】
本発明は、床構造に関する。
【背景技術】
【０００２】
例えば、集合住宅等が備える床構造は、床スラブ上に配置される床下地材を備え、床下地材は衝撃吸収材により支持される構造を有している（特許文献１）。特許文献１の床構造では、床スラブと長方形状の床下地材との間に吸音材が配置されている。衝撃吸収材と吸音材とは、床下地材の短辺に沿って延びる形状を有し、床下地材の長辺に沿って交互に配置されている。こうした衝撃吸収材による衝撃力の吸収と、吸音材による音の吸収とに基づき、防音効果が発揮される。
【先行技術文献】
【特許文献】
【０００３】
【特許文献１】特開２０１１−０８９３１２号公報
【発明の概要】
【発明が解決しようとする課題】
【０００４】
上記特許文献１のように、床スラブと床下地材との間に吸音材等が配置されることで防音効果は発揮されるものの、床スラブと床下地材との間における振動伝達の抑制について未だ改善の余地がある。
【０００５】
本発明は、こうした実情に鑑みてなされたものであり、その目的は、部材間の振動の伝達と空気振動の伝達とを抑制することの容易な床構造を提供することにある。
【課題を解決するための手段】
【０００６】
上記課題を解決する床構造は、基台上に設けられ、第１床材と前記第１床材に隣り合う第２床材とを含む複数の床材と、前記床材に積層される床仕上げ材と、を備える床構造であって、前記床材は、長方形状の床基板と、前記基台と前記床基板との間に位置する下層部材と、を備え、前記下層部材は、前記床基板を支持する複数の支持部材と、前記基台と前記床基板との間に配置される吸音部材と、を有し、前記支持部材は、前記基台に接する先端部を有するとともに、前記支持部材は、前記床基板の短辺に沿って配置され、前記短辺側を支持する短辺支持部材を含み、前記短辺側の部分は、前記短辺支持部材の有する先端部が前記床基板における長辺間の中央部を挟むように離間されてなる離間部を有し、前記床構造は、前記床基板に沿って延在するとともに前記下層部材が側壁となる通路を備え、前記通路は、第１通路と、前記第１通路に連通するとともに前記第１通路よりも側壁内面の間隔が広い第２通路とを有する。
【０００７】
上記床基板の短辺側の部分は、短辺支持部材の有する先端部が床基板の長辺間の中央部を挟むように離間されてなる離間部を有している。このため、短辺支持部材から基台への振動の伝達が抑制される。また、上記床構造は、床基板に沿って延在するとともに下層部材が側壁となる通路を有しているため、床基板の振動に伴って空気が局所的に圧縮され難くなる。こうした通路は、第１通路と、第１通路に連通するとともに第１通路よりも側壁内面の間隔が広い第２通路とを有している。このため、例えば、空気の圧縮を緩和する作用は、第２通路により発揮され易くなり、空気の振動を低減する作用は、通路形状の複雑化により発揮され易くなる。
【０００８】
上記床構造は、前記通路として、前記第１床材の有する下層部材と前記第２床材の有する下層部材とを側壁としてなる床材間通路を備えることが好ましい。
このように、第１床材の有する下層部材の外周壁と第２床材の有する下層部材の外周壁とを利用して上記通路を形成することができる。
【０００９】
上記床構造において、前記床材間通路は、前記第１床材の有する床基板の短辺と、前記第２床材の有する床基板の短辺とに沿って延在していることが好ましい。
この構成によれば、第１床材の有する床基板の短辺側の部分、及び第２床材の有する床基板の短辺側の部分における振動を好適に低減することができる。
【００１０】
上記床構造において、前記吸音部材は、前記基台に接していることが好ましい。
この構成によれば、基台の露出が抑制されることで、空気の振動が基台に伝達されることが抑制される。
【００１１】
上記床構造は、前記通路として、少なくとも一部が前記支持部材と前記吸音部材とを側壁とする異種部材間通路から構成された通路を備えることが好ましい。
上記の異種部材間通路によれば、異種部材から構成された側壁に基づいて、空気振動を低減する特性が発揮される。
【００１２】
上記床構造において、前記床材は、室を区画する壁体に隣り合う外周床材を備え、前記外周床材の有する通路が前記壁体へ向けて開口する部分には、一端が前記床基板と前記床仕上げ材との間に介在されるとともに他端が前記壁体に接続されるシール部材がさらに設けられていることが好ましい。
【００１３】
この構成によれば、上記の開口する部分を通じた空気の流動がシール部材によって抑制されるため、空気振動の低減が通路内において効率的に行われるようになる。
上記床構造において、前記第１床材の有する床基板と前記第２床材の有する床基板とは離間されていることが好ましい。
【００１４】
この構成によれば、第１床材の有する床基板と第２床材の有する床基板との間における振動の伝達が抑制される。
上記床構造において、前記床基板と前記床仕上げ材との間には緩衝部材がさらに設けられていることが好ましい。
【００１５】
この構成によれば、床基板と床仕上げ材との間における振動の伝達が抑制される。
【発明の効果】
【００１６】
本発明によれば、部材間の振動の伝達と空気振動の伝達とを抑制することが容易となる。
【図面の簡単な説明】
【００１７】
【図１】実施形態の床構造を部分的に示す図であり、床仕上げ材等を省略して示す上面図。
【図２】床構造を部分的に示す正面図。
【図３】床構造を部分的に示す下面図。
【図４】床構造を部分的に示す下面図であり、通路を説明する説明図。
【図５】外周床材を含む床構造の一部を切り欠いて示す図であり、基台を省略して示す斜視図。
【発明を実施するための形態】
【００１８】
以下、床構造の実施形態について図１〜図４を参照して説明する。
＜床構造の概要＞
図１及び図２に示すように、床構造は、基台１１上に設けられる複数の床材１２と、床材１２に積層される床仕上げ材１３とを有している。基台１１としては、例えば、コンクリートから構成される床スラブが挙げられる。床仕上げ材１３としては、例えば、フローリング、コルク板、タイル、畳、カーペット、樹脂シート材及びゴムシート材が挙げられる。本実施形態の床構造は、集合住宅や個人住宅等の多層住宅に適用される。
【００１９】
＜床材＞
複数の床材１２は、第１床材１２ａと、第１床材１２ａに隣り合う第２床材１２ｂとを含む。各床材１２は、長方形状の床基板２１を備えている。第１床材１２ａと第２床材１２ｂとは、床基板２１の短辺が向かい合うとともに、長辺に沿った方向に連なる列を構成している。こうした第１床材１２ａ及び第２床材１２ｂを含む列は、基台１１の面積に応じて基台１１上に複数配置されている。第１床材１２ａの有する床基板２１と、第２床材１２ｂの有する床基板２１とは離間されている。第１床材１２ａ及び第２床材１２ｂを含む列と、その列に隣り合う列についても、床基板２１が離間されるように配列されている。床基板２１としては、例えば、合板、パーティクルボード等の木質ボード、無機質ボード又は金属板を用いることができる。
【００２０】
次に、各床材１２の詳細について説明する。なお、各床材１２の構成は共通するため、一つの床材１２について詳細に説明する。
図２に示すように、床材１２は、基台１１と床基板２１との間に位置する下層部材２２を有している。下層部材２２は、床基板２１を支持する複数の支持部材３１と、基台１１と床基板２１との間に配置される吸音部材４１とを有している。
【００２１】
各支持部材３１は、基台１１に接する先端部３２ａを有する第１支持層３２と、この第１支持層３２と床基板２１との間に位置する第２支持層３３とから構成されている。第１支持層３２と第２支持層３３とは、それぞれ異なる多孔質材料から構成される。多孔質材料としては、市販されているものから選択して用いることができる。第１支持層３２としては、例えば、ポリエステル系不織布等の不織布が用いられる。第２支持層３３としては、例えば、フェルトを用いることができる。フェルトとしては、例えば、化学繊維と羊毛繊維とをポリオレフィン系樹脂をバインダーとして成形されたものを用いることができる。第１支持層３２は、第２支持層３３よりも軟質な材料から構成されることが好ましい。
【００２２】
第１支持層３２と第２支持層３３とは、接着層を介して接合されている。第２支持層３３は、床基板２１に接着層を介して取り付けられている。
図３に示すように、複数の支持部材３１は、床基板２１の第１短辺２１ａに沿って配置され、第１短辺２１ａ側を支持する第１短辺支持部材３１ａと、第２短辺２１ｂに沿って配置され、第２短辺２１ｂ側を支持する第２短辺支持部材３１ｂとを有している。第１短辺支持部材３１ａ及び第２短辺支持部材３１ｂは、床基板２１の長辺に沿った方向で最も外側に位置している。複数の支持部材３１は、さらに第１短辺支持部材３１ａと第２短辺支持部材３１ｂとの間に配置され、床基板２１の短辺間の中間部分を支持する中間支持部材３１ｃを有している。
【００２３】
第１短辺支持部材３１ａは、床基板２１における長辺間の中央部２１ｃを挟むように離間して配置される一対から構成されている。このように、第１短辺２１ａ側の部分は、第１短辺支持部材３１ａの有する先端部３２ａが中央部２１ｃを挟むように離間されている。すなわち、床構造において、第１短辺２１ａ側の部分は第１離間部５１を有している。
【００２４】
第２短辺支持部材３１ｂについても、第１短辺支持部材３１ａと同様に一対から構成されている。すなわち、床構造において、第２短辺２１ｂ側の部分は、第２離間部５２を有している。なお、中間支持部材３１ｃについても、第１短辺支持部材３１ａと同様に一対から構成され、中間支持部材３１ｃの有する先端部３２ａは中央部２１ｃを挟むように離間されている。
【００２５】
吸音部材４１は、第１短辺支持部材３１ａと中間支持部材３１ｃとの間に配置される第１吸音部材４１ａと、第２短辺支持部材３１ｂと中間支持部材３１ｃとの間に配置される第２吸音部材４１ｂとから構成されている。第１吸音部材４１ａは、第１短辺支持部材３１ａ及び中間支持部材３１ｃと離間されている。第２吸音部材４１ｂについても、第２短辺支持部材３１ｂ及び中間支持部材３１ｃと離間されている。
【００２６】
吸音部材４１は、例えば多孔質材料から構成される。多孔質材料としては、市販されているものから選択して用いることができる。吸音部材４１は、例えば、ポリエステル系不織布等の不織布を用いることができる。吸音部材４１は、設計の自由度を高めるという観点から、支持部材３１を構成する多孔質材料とは全体として互いに異なる多孔質材料から構成されることが好ましい。なお、全体として互いに異なる多孔質材料とは、例えば、吸音部材４１が支持部材３１の一部を構成する多孔質材料と同一の多孔質材料から構成される場合や、支持部材３１が吸音部材４１の一部を構成する多孔質材料と同一の多孔質材料から構成される場合を含む。
【００２７】
吸音部材４１と床基板２１との間には、接着層が設けられている。この接着層により、吸音部材４１は床基板２１に取り付けられている。吸音部材４１の厚みは、基台１１に接するように設定されている。なお、上述した支持部材３１は全体として吸音部材４１よりも硬質な材料から構成されることで、床基板２１は支持部材３１によって支持されるようになっている。
【００２８】
図１及び図２に示すように、床基板２１の上面には、緩衝部材１４が積層されている。緩衝部材１４は、床基板２１の各辺よりも長い外形を有している。緩衝部材１４は、自己粘着性や接着層によって床基板２１に予め固定されている。すなわち、本実施形態の緩衝部材１４は、床材１２の一部として構成されている。
【００２９】
床基板２１と一体とされた緩衝部材１４の下面中央は、床基板２１の上面中央とは平面視（上面視）で異なる位置に設定されている。緩衝部材１４の短辺及び長辺は、それぞれ床基板２１の短辺及び長辺と並行であり、緩衝部材１４の各辺の位置は、床基板２１の各辺の位置と平面視で異なっている。こうした緩衝部材１４は、第１床材１２ａの有する床基板２１と第２床材１２ｂの有する床基板２１との間隙に重なるように配置される。また、第１床材１２ａの備える緩衝部材１４の外周端面と、第２床材１２ｂの備える緩衝部材１４の外周端面とを当接させることで、第１床材１２ａと第２床材１２ｂとの相対位置が決定される。すなわち、第１床材１２ａの有する床基板２１と第２床材１２ｂの有する床基板２１との間隔寸法は、緩衝部材１４によって設定することが可能である。
【００３０】
緩衝部材１４を構成する材料は、特に限定されないが、例えば、市販のゴム系制振材が好適に用いられる。
＜通路の構成＞
図２に示すように、床構造は、床基板２１に沿って延在するとともに下層部材２２を側壁とした複数の通路６１を有している。各通路６１の底壁は基台１１から構成されるとともに、各通路６１の上壁は床基板２１又は緩衝部材１４から構成されている。なお、緩衝部材１４を省略した場合、通路６１の上壁は、床仕上げ材１３から構成される。
【００３１】
図４に示すように、各通路６１は、第１通路６１ａと、第１通路６１ａに連通するとともに第１通路６１ａよりも側壁内面の間隔が広い第２通路６１ｂとを有する。こうした第１通路６１ａと第２通路６１ｂとが接続されることで、側壁内面の間隔が異なる通路が形成される。本実施形態の通路６１は、床基板２１の短辺に沿う方向に延在している。
【００３２】
床構造は、上記通路６１として、第１床材１２ａの有する下層部材２２と第２床材１２ｂの有する下層部材２２とを側壁としてなる床材間通路７１を備えている。さらに、床構造は、上記通路６１として、各床材１２の有する下層部材２２のみを側壁とする床材内通路７２を備えている。
【００３３】
第１通路６１ａ及び第２通路６１ｂは、同種部材間通路８１又は異種部材間通路８２から構成される。同種部材間通路８１は、支持部材３１のみを側壁とする通路、又は、吸音部材４１のみを側壁とする通路である。異種部材間通路８２は、一方の側壁が支持部材３１から構成されるとともに、他方の側壁が吸音部材４１から構成される通路である。
【００３４】
上述した床材間通路７１は、同種部材間通路８１から構成されている。すなわち、床材間通路７１の有する第１通路６１ａの側壁は、第１短辺支持部材３１ａと第２短辺支持部材３１ｂとから構成されている。床材間通路７１の有する第２通路６１ｂの側壁は、第１吸音部材４１ａと第２吸音部材４１ｂとから構成されている。
【００３５】
なお、床材間通路７１の有する第２通路６１ｂには、さらに第１通路６１ａに相当する異種部材間通路８２が連通されている。
床材内通路７２の有する第１通路６１ａは、異種部材間通路８２であり、第１吸音部材４１ａと中間支持部材３１ｃとを側壁とする第１通路６１ａ、及び第２吸音部材４１ｂと中間支持部材３１ｃとを側壁とする第１通路６１ａの二種から構成されている。
【００３６】
床材内通路７２の有する第２通路６１ｂは、第１吸音部材４１ａと第２吸音部材４１ｂとを側壁とした同種部材間通路８１である。
＜外周床材及びシール部材＞
図５に示すように、本実施形態の床材１２は、室を区画する壁体１５に隣り合う外周床材１２ｃを備えている。外周床材１２ｃには、シール部材１６が設けられている。シール部材１６の一端は床基板２１と床仕上げ材１３との間に介在されている。シール部材１６の他端は壁体１５に接続されるとともに、床仕上げ材１３の側面と壁体１５との間に介在されている。壁体１５には、床仕上げ材１３の外周端縁に沿うように巾木１７が設けられている。シール部材１６は、外周床材１２ｃの有する通路６１が壁体１５へ向けて開口する部分に設けられている。シール部材１６は、前記開口する部分のいずれにも設けられることが好ましい。シール部材１６としては、例えば、紙、布、不織布等の基材と粘着層とを有する粘着テープが好適に用いられる。
【００３７】
＜床構造の形成方法及び作用＞
次に、床構造の形成方法及び作用について説明する。床構造を形成するには、まず、施工の対象となる基台１１の面積に応じて、必要な数の床材１２を一つのセットとして準備する。これらの床材１２を基台１１上に設置した後に、床材１２上に床仕上げ材１３を設置し、巾木１７を装着する。なお、壁体１５に隣り合う床材１２については、その外周縁を切除することで緩衝部材１４、床基板２１及び下層部材２２の端面が揃えられた外周床材１２ｃとされる。
【００３８】
本実施形態の床構造は、第１離間部５１及び第２離間部５２を有しているため、第１短辺支持部材３１ａ及び第２短辺支持部材３１ｂから基台１１への振動の伝達、すなわち部材間の振動の伝達が抑制され易くなる。また、床構造は、通路６１を備えているため、床基板２１の振動に伴って空気が局所的に圧縮されることが緩和される。こうした通路６１は、第１通路６１ａと、第１通路６１ａに連通するとともに第１通路６１ａよりも側壁内面の間隔が広い第２通路６１ｂとを有している。このため、例えば、空気の圧縮を緩和する作用は、第２通路６１ｂによって発揮され易くなり、空気の振動を低減する作用は、通路形状の複雑化によって発揮され易くなる。
【００３９】
上述した実施形態によって発揮される効果について以下に記載する。
（１）床構造は、第１離間部５１及び第２離間部５２を有しているため、部材間の振動の伝達が抑制される。また、床構造は、床基板２１に沿って延在するとともに下層部材２２が側壁となる通路６１を備え、その通路６１は、第１通路６１ａと、第１通路６１ａに連通するとともに第１通路６１ａよりも側壁内面の間隔が広い第２通路６１ｂとを有している。このため、空気振動の伝達を抑制することが容易となる。したがって、本実施形態の床構造によれば、部材間の振動の伝達と、空気振動の伝達とを抑制することが容易となる。こうした床構造は、基台１１への振動伝達が抑制されるため、例えば、階下を有する床構造における騒音対策に有利である。
【００４０】
（２）床構造は、通路６１として、第１床材１２ａの有する下層部材２２と第２床材１２ｂの有する下層部材２２とを側壁としてなる床材間通路７１を備えている。このように、下層部材２２の外周壁を利用して通路６１を形成することができる。
【００４１】
（３）床材間通路７１は、第１床材１２ａの有する床基板２１の短辺と、第２床材１２ｂの有する床基板２１の短辺とに沿って延在している。この構成によれば、第１床材１２ａの有する床基板２１の短辺及び第２床材１２ｂの有する床基板２１の短辺に沿った部分における振動を好適に低減することが可能である。また、第１離間部５１や第２離間部５２を利用して床材間通路７１を構成することができるため、床構造の複雑化を回避し、かつ騒音対策を行うという観点から有利である。
【００４２】
（４）吸音部材４１は、基台１１に接している。この構成によれば、基台１１の露出が抑制されることで、空気の振動が基台１１に伝達されることが抑制される。
（５）床構造は、少なくとも一部が支持部材３１と吸音部材４１とを側壁とする異種部材間通路８２から構成された通路６１を備えている。こうした異種部材間通路８２によれば、異種部材から構成された側壁に基づいて、空気振動を低減する特性が発揮される。このため、例えば、支持部材３１及び吸音部材４１を構成する材料を選択することで、空気振動を低減する特性（周波数特性等）を変更することが容易となる。
【００４３】
（６）外周床材１２ｃの有する通路６１が壁体１５へ向けて開口する部分には、シール部材１６が設けられている。シール部材１６の一端は、床基板２１と床仕上げ材１３との間に介在されるとともに、シール部材１６の他端は壁体１５に接続されている。この構成によれば、上記の開口する部分を通じた空気の流動がシール部材１６によって抑制されるため、空気振動の低減が通路６１内において効率的に行われるようになる。また、例えば、壁体１５を介して周囲に音が拡散することが抑制することができるため、騒音対策としてさらに有利となる。
【００４４】
（７）第１床材１２ａの有する床基板２１と第２床材１２ｂの有する床基板２１とは離間されているため、それら床基板２１，２１の間における振動の伝達が抑制される。これにより、振動の発生箇所から周囲に振動が拡散することを抑制することができる。
【００４５】
（８）床基板２１と床仕上げ材１３との間には、緩衝部材１４がさらに設けられているため、床基板２１と床仕上げ材１３との間における振動の伝達が抑制される。
（９）長方形状の床基板２１では、特に低周波領域の振動が伝達されると、床基板２１の短辺側の部分において、中央部２１ｃが大きく変位する振動態様になり易い傾向にある。こうした短辺側の部分における中央部２１ｃが支持部材３１で支持された構成では、支持部材３１により基台１１が押圧され、基台１１へ振動が伝達され易くなる場合がある。この点、本実施形態の床構造は、第１離間部５１及び第２離間部５２を有しているため、床基板２１における短辺側の部分から基台１１への振動の伝達を好適に抑制することができる。さらに、第１短辺支持部材３１ａ及び第２短辺支持部材３１ｂを多孔質材料から構成することで、高周波領域の振動についても、床基板２１における短辺側の部分から基台１１への伝達を好適に抑制することができる。
【００４６】
（１０）上述したように床基板２１における短辺側の部分において、中央部２１ｃが大きく変位する振動態様になる場合がある。この点、本実施形態の床構造では、床基板２１の短辺に沿った床材間通路７１を有しているため、例えば低周波領域の振動に基づく空気振動を低減する床構造として有利である。
【００４７】
（変更例）
上記実施形態を次のように変更して構成してもよい。
・前記緩衝部材１４は、省略されてもよい。なお、前記緩衝部材１４は、床基板２１の各辺よりも長い外形を有しているが、緩衝部材の形状は、床基板２１と同じ外形や床基板２１よりも小さい外形に変更されてもよい。また、前記緩衝部材１４は、床材１２の一部として床基板２１に予め固定されているが、床材１２とは別体とされ、床構造を形成する際に設けるように変更されてもよい。
【００４８】
・前記第１床材１２ａの有する床基板２１と第２床材１２ｂの有する床基板２１とは接触されていてもよい。なお、このように変更した場合、床材間通路７１は、第１短辺支持部材３１ａ及び第２短辺支持部材３１ｂが、それぞれ第１短辺２１ａ及び第２短辺２１ｂよりも内側で床基板２１を支持する構成に変更することで設けることができる。
【００４９】
・前記実施形態のように、床基板２１，２１を離間させる場合、壁体１５で区画された室全体の床構造において、隣り合う床基板２１が離間されていることが好ましいが、一部の床基板２１が離間されている床構造であってもよい。
【００５０】
・前記シール部材１６は、省略されてもよい。なお、シール部材１６は、その他端部が壁体１５と巾木１７との間に介在されるように装着されてもよい。シール部材１６は、室全体の床構造において、すべての外周床材１２ｃの前記開口する部分に設けることが好ましい。シール部材１６は、例えば、振動の発生源となり易い箇所に応じて、一部の外周床材１２ｃにおける床材間通路７１の開口部分のみに設けることもできる。
【００５１】
・前記床材間通路７１は、同種部材間通路８１のみ又は異種部材間通路８２のみから構成されてもよい。また、床材内通路７２は、同種部材間通路８１のみ又は異種部材間通路８２のみから構成されてもよい。例えば、第１短辺支持部材の周壁が吸音部材で被覆された第１床材と、第２短辺支持部材の周壁が吸音部材で被覆された第２床材とを用いて床構造を構成することができる。この場合、床材間通路の側壁は、吸音部材のみから構成される。
【００５２】
・前記第１通路６１ａは、同種部材間通路８１及び異種部材間通路８２のいずれか一方から構成されているが、同種部材間通路８１と異種部材間通路８２とのいずれも有する構成に変更されてもよい。
【００５３】
・前記第２通路６１ｂは、同種部材間通路８１から構成されているが、異種部材間通路８２から構成されてもよい。また、第２通路６１ｂは、同種部材間通路８１と異種部材間通路８２とのいずれも有する構成に変更されてもよい。
【００５４】
・前記床材間通路７１及び床材内通路７２のいずれか一方は、省略されてもよい。また、前記通路６１は、室全体の床構造において、すべての床材１２に対応して設けられていることが好ましいが、例えば、第１床材１２ａ及び第２床材１２ｂのいずれか一方に設けられていてもよい。
【００５５】
・前記第１離間部５１及び第２離間部５２のいずれか一方は、省略されてもよい。例えば、振動の発生箇所に近い短辺側の部分のみに離間部が設けられてもよい。また、前記第１離間部５１及び第２離間部５２は、室全体の床構造において、すべての床材１２に対応して設けられていることが好ましいが、例えば、第１床材１２ａ及び第２床材１２ｂのいずれか一方に設けられていてもよい。
【００５６】
・前記第１離間部５１は、一対の第１短辺支持部材３１ａの間に設けられているが、一体とされた第１短辺支持部材３１ａの有する凹部により第１離間部を構成することもできる。例えば、第１短辺２１ａから第２短辺２１ｂに向けて凹む形状の凹部を有する第１短辺支持部材は、その凹部を中央部２１ｃに対応して配置される。この床構造では、先端部３２ａが中央部２１ｃを挟むように部分的に離間されてなる第１離間部を有する。このように、離間部は、短辺支持部材の有する先端部３２ａの一部が中央部２１ｃを挟むように離間されることで構成されてもよい。この構成によっても、第１短辺支持部材から基台１１への振動の伝達が抑制されるようになる。
【００５７】
また例えば、先端部３２ａから床基板２１に向けて凹む形状の凹部を有する第１短辺支持部材は、その凹部が中央部２１ｃに対応して配置される。この床構造では、先端部３２ａの全体が中央部２１ｃを挟むように離間されてなる第１離間部を有する。
【００５８】
なお、第２短辺支持部材３１ｂも同様に、一体とされた第２短辺支持部材に変更することができる。
・第１短辺支持部材３１ａ及び第２短辺支持部材３１ｂの少なくとも一方は、３つ以上に分割されていてもよい。
【００５９】
・前記床材間通路７１の側壁は、短辺支持部材のみから構成することもできる。この場合、上記のように、第１短辺２１ａから第２短辺２１ｂに向けて凹む形状の凹部を有する第１短辺支持部材に変更した第１床材と、第２短辺２１ｂから第１短辺２１ａに向けて凹む形状の凹部を有する第２短辺支持部材に変更した第２床材とを用いる。
【００６０】
・前記吸音部材４１は、基台１１に対して非接触となるように配置されていてもよい。なお、吸音部材４１を基台１１に接触させる場合、室全体の床構造において、すべて吸音部材４１を基台１１に接触させることも可能であるが、例えば、振動の発生源となり易い箇所に応じて、例えば、第１吸音部材４１ａのみを基台１１に接触させてもよい。
【００６１】
・前記床構造は、短辺に沿う方向に延在する通路６１のみを有しているが、通路６１の少なくとも一つは、例えば、長辺に沿う方向に延在する通路６１に変更されてもよい。
・前記各支持部材３１は、第１支持層３２と第２支持層３３との二層構造を有しているが、単層構造に変更されてもよいし、三層以上の構造に変更されてもよい。
【００６２】
・前記通路６１は、第１通路６１ａ及び第２通路６１ｂを有しているが、第１通路６１ａ及び第２通路６１ｂに加えて、例えば第２通路６１ｂよりも側壁間の間隔の広い第３通路が連通されていてもよい。
【００６３】
・前記第１床材１２ａと第２床材１２ｂとは、それらの長辺が同一直線上に位置するように設置されているが、それらの長辺が異なる直線上に位置するようにずらして設置されていてもよい。
【００６４】
・前記中間支持部材３１ｃは、省略されてもよい。また、中間支持部材３１ｃは、その先端部が中央部２１ｃに配置される形状に変更されてもよい。
・前記各床材１２では、通路６１の数及び形状は共通しているが、床材１２毎に通路６１の数及び形状が異なっていてもよい。なお、第１離間部５１、第２離間部５２及び通路６１は、室全体に設けられる複数の床材１２のうち、少なくとも一つの床材１２に採用することで有利となるが、室全体に設けられる複数の床材１２のすべてに採用することが特に有利となる。
【符号の説明】
【００６５】
１１…基台、１２…床材、１２ａ…第１床材、１２ｂ…第２床材、１２ｃ…外周床材、１３…床仕上げ材、１４…緩衝部材、１５…壁体、１６…シール部材、１７…巾木、２１…床基板、２１ａ…第１短辺、２１ｂ…第２短辺、２１ｃ…中央部、２２…下層部材、３１…支持部材、３１ａ…第１短辺支持部材、３１ｂ…第２短辺支持部材、３１ｃ…中間支持部材、３２…第１支持層、３２ａ…先端部、３３…第２支持層、４１…吸音部材、４１ａ…第１吸音部材、４１ｂ…第２吸音部材、５１…第１離間部、５２…第２離間部、６１…通路、６１ａ…第１通路、６１ｂ…第２通路、７１…床材間通路、７２…床材内通路、８１…同種部材間通路、８２…異種部材間通路。
【図１】
2015059356.tif 000003
【図２】
2015059356.tif 000004
【図３】
2015059356.tif 000005
【図４】
2015059356.tif 000006
【図５】
2015059356.tif 000007